(57)【要約】【課題】走行安全性をより高めたスケートボードを提供する。【解決手段】スケートボード１の前方寄りの位置には圧力感知部８が設けられている。この圧力感知部８は、スケートボード１の上面側において、弾力性のある材料で覆われており、圧力を感知しやすい構造となっている。また、スケートボード１の下面側には切替スイッチが設けられ、この切替スイッチは圧力感知部８が圧力を感知するか否かによって制御回路を開閉する構成となっており、圧力感知部８が圧力を感知すると駆動モータが車輪を駆動して走行が開始される。【選択図】  図１
2005137786.tif 000002
【特許請求の範囲】
【請求項１】
車輪を駆動するための駆動モータを設けた電動スケートボードにおいて、スケートボードの上面の所定の位置に圧力を感知する圧力感知部を設け、この圧力感知部が圧力を感知すると駆動モータが車輪を駆動するように制御する制御回路を有することを特徴とする電動スケートボード。
【請求項２】
前記駆動モータを制御して走行速度の調整を行うコントロールユニットを備えたことを特徴とする請求項１記載の電動スケートボード。
【発明の詳細な説明】
【技術分野】
【０００１】
本発明は、動力付きのスケートボードに関し、特に、安全装置を設けたスケートボードに関する。
【背景技術】
【０００２】
小型モータ等を搭載したスケートボードが近年普及し、その操作性や安全性を高めることを目的とした技術が開発されている。
例えば、特許文献１には、人がスケートボード上に乗ると、その荷重によってスケートボードが圧力を感知してモータが駆動し、車輪が回転して走行できるようにした電動遊戯具が記載されている。また、特許文献２には、圧力を感知する手段として、歪みゲージを用いた動力付スケートボードが記載されている。
【０００３】
【特許文献１】特許第２９９３６５２号公報
【特許文献２】特開２０００−１４０１９０号公報
【発明の開示】
【発明が解決しようとする課題】
【０００４】
しかし、これらのスケートボードにおいては、人がスケートボード上に乗ると、スケートボードの板面全体で圧力を感知する構造になっている。すなわち、特許文献１記載のものでは、板面のどこかで圧力を感じると圧力スイッチがオン状態となってモータが駆動し、特許文献２記載のものでも同様に、板面のどこかで圧力を感じると歪みゲージがモータを駆動するようになっている。
【０００５】
このように、スケートボード上に人が乗っただけでスケートボードが動き出すと、バランスを崩して転倒するケースもあり得る。また、これらのスケートボードには、スケートボードの速度を段階的に切り替える装置が備わっていないため、スケートボードが急発進する可能性もある。
本発明は、このような事情を考慮してなされたもので、走行安全性をより高めたスケートボードを提供することを目的とする。
【課題を解決するための手段】
【０００６】
以上の課題を解決するために、本発明は、車輪を駆動するための駆動モータを設けた電動スケートボードにおいて、スケートボードの上面の所定の位置に圧力を感知する圧力感知部を設け、この圧力感知部が圧力を感知すると駆動モータが車輪を駆動するように制御する制御回路を有することを特徴とする電動スケートボードである。
スケートボードの上面の所定の位置に圧力を感知する圧力感知部を設けており、この圧力感知部に足を乗せて荷重を加えない限り電動スケートボードは走行しない。そのため、利用者が電動スケートボードの上に乗っただけでは電動スケートボードは動かず、意識的に圧力感知部に足を乗せたときに初めて走行を開始するため、安全性の極めて高い電動スケートボードを実現することができる。
【０００７】
本発明は、前記駆動モータを制御して走行速度の調整を行うコントロールユニットを備えたことを特徴とする。
コントロールユニットによって走行速度の調整を行うことができるため、走行中の速度調整を手元で容易に行うことができる。また、走行開始時に急発進しないようにコントロールユニットを設定しておけば、急発進によって自分がバランスを崩して転倒することもなく、また、急発進により他の通行人に電動スケートボードが衝突して通行人に怪我を負わせることもない。従って、安全走行性をさらに高めることができる。
【発明の効果】
【０００８】
本発明によると、スケートボードの上面の所定の位置に圧力を感知する圧力感知部を設け、この圧力感知部が圧力を感知すると制御回路により駆動モータが車輪を駆動するようにしたことにより、利用者が意識的に圧力感知部に足を乗せたときに初めて走行を開始するため、安全性の極めて高い電動スケートボードを実現することができる。
また、駆動モータを制御して走行速度の調整を行うコントロールユニットを備えたことにより、走行中の速度調整が手元で容易にできると共に、走行開始時に急発進しないようにコントロールユニットを設定しておけば、急発進による事故を有効に防止することができる。
【発明を実施するための最良の形態】
【０００９】
以下、本発明をその実施形態に基づいて説明する。
図１は、本発明の実施形態に係る電動スケートボードを、人が乗る上面側から見た図であり、図２はその正面図、図３はその底面図である。
スケートボード１の下面側に、前輪３と後輪４とが設けられ、後輪４は駆動ベルト９によって駆動モータ６からの動力が伝達される構成となっている。駆動モータ６は、スケートボードの下面側に設けられたバッテリ５に接続されており、バッテリ５を動力源として駆動する。
【００１０】
スケートボード１の前方寄りの位置には圧力感知部８が設けられている。この圧力感知部８は、スケートボード１の上面側において、弾力性のある材料、例えばシリコンゴムで覆われており、圧力を感知しやすい構造となっている。また、スケートボード１の下面側には切替スイッチ１２が設けられ、この切替スイッチ１２は圧力感知部８が圧力を感知するか否かによって制御回路７を開閉する構成となっている。
【００１１】
切替スイッチ１２の動作を図４に基づいて説明する。
図４（ａ）は、圧力感知部８が圧力を受けていない場合を示しており、切替スイッチ１２は開いた状態であるため、制御回路７によって駆動モータ６は駆動しないようになっている。スケートボード１上に人が乗って足で圧力感知部８の上面を押すと、図４（ｂ）に示すように、この荷重による圧力で切替スイッチ１２は閉じ、制御回路７は駆動モータ６を駆動させる。
【００１２】
このように、本発明の電動スケートボードでは、単に人がスケートボード１上に乗っただけでは駆動モータ６は駆動せず、意識的に圧力感知部８を踏んで初めて駆動モータ６が駆動して走行が可能となる。従って、スケートボード１上に人が乗っただけでスケートボード１が動き出すという事態を生じることがなく、安全性が極めて高い。
【００１３】
また、本発明の電動スケートボードでは、図２に示すように、制御回路７にはケーブル１１を介してコントロールユニット１０が接続されており、このコントロールユニット１０の表面にはコントロールレバー２が設けられている。コントロールレバー２をスライドさせることにより、駆動モータ６の回転数を変えて走行速度を変えることができる。また、コントロールレバー２を最後までスライドさせると、駆動モータ６の回転を停止させることができる。ただし、コントロールレバー２による速度制御は、圧力感知部８を踏んだ状態でのみ可能であり、あくまでスケートボード１上に乗った人が、電動スケートボードを走行させる意志を持ったときにのみ、コントロールレバー２による速度制御を行えるようにしている。
【００１４】
以下に、コントロールユニット１０の構成と動作について説明する。
図５に、コントロールユニット１０の構成を模式的に示す。
図５において、コントロールユニット１０内には、トランジスタ１３と磁石１４とが設けられており、磁石１４はコントロールレバー２をスライドさせることに伴ってトランジスタ１３との間隔が変化するようになっている。
コントロールレバー２を手で操作すると、磁石１４とトランジスタ１３との間隔が変化する。トランジスタ１３は磁界強度感知性能を有する磁気センサとして機能するものが用いられ、コントロールレバー２の操作による磁界の強さの変化を感知し、その情報を制御回路７に伝える。その結果、制御回路７は、コントロールレバー２の操作によって駆動モータ６の回転数を段階的に制御して走行速度を制御する。
なお、ここに示すコントロールユニット１０の構成と動作は一例であって、これに限定されるものではなく、走行速度の調整が可能な機構を有しておれば、他の構成によるものであってもかまわない。
【００１５】
本発明の電動スケートボードでは、電動スケートボードを使おうとする人は、スケートボード１上に乗り、圧力感知部８を踏んで走行を開始する。このとき、コントロールユニット１０を操作して、急発進しないようにしておけば、自分がバランスを崩して転倒することもなく、また、急発進により他の通行人に電動スケートボードが衝突して通行人に怪我を負わせることもない。電動スケートボードによる事故は、走行開始時での予期せぬ動きによるものが多いことから、電動スケートボードの利用者が走行開始と走行スピード調整を意識して行えるようにしたことで、極めて安全な走行が可能となる。
【００１６】
また、走行中に電動スケートボードを停止させたいときは、圧力感知部８から足を放せばよく、電動スケートボード上に乗ったままで電動スケートボードを停止させることができるため、電動スケートボードを停止させようとして、電動スケートボードから降りる際にバランスを崩すこともない。
【００１７】
また、誤って電動スケートボードから降りたとしても、コントロールユニット１０はケーブル１１を介して電動スケートボードの本体に連結されているため、コントロールユニット１０を手で保持している限り、ケーブル１１を引っ張って電動スケートボードの本体を引き寄せることができるため、電動スケートボードが暴走してしまうことはない。
このように本発明の電動スケートボードは、利用者の意に反して電動スケートボードが暴走することを幾重にも防止する手段を有しており、安全性の極めて高い電動スケートボードであるということができる。
【産業上の利用可能性】
【００１８】
本発明は、極めて安全性の高い電動スケートボードとして利用することができる。
【図面の簡単な説明】
【００１９】
【図１】本発明の実施形態に係る電動スケートボードを、人が乗る上面側から見た図である。
【図２】本発明の実施形態に係る電動スケートボードの正面図である。
【図３】本発明の実施形態に係る電動スケートボードの底面図である。
【図４】切替スイッチの動作を示す図である。
【図５】本発明の実施形態に係る電動スケートボードのコントロールユニットの構成と動作を示す図である。
【符号の説明】
【００２０】
１  スケートボード
２  コントロールレバー
３  前輪
４  後輪
５  バッテリ
６  駆動モータ
７  制御回路
８  圧力感知部
９  駆動ベルト
１０  コントロールユニット
１１  ケーブル
１２  切替スイッチ
１３  トランジスタ
１４  磁石
【図１】
2005137786.tif 000003
【図２】
2005137786.tif 000004
【図３】
2005137786.tif 000005
【図４】
2005137786.tif 000006
【図５】
2005137786.tif 000007